(57)【要約】【課題】ラジエータ周囲の熱風遮断性を実現するためのシール部材の耐久性を向上させたトラクタを提供する。【解決手段】トラクタは、支持ブラケットと、第１突出部６０ａと、ボンネット２０と、第２突出部６２ａと、弾性シール部材７３と、を備えている。支持ブラケットは、ラジエータを支持するためにラジエータの左右に取り付けられる。第１突出部６０ａは、支持ブラケットから機体左右方向に突出する。ボンネット２０は、少なくともラジエータの左右の一部を覆うことが可能である。前記第２突出部６２ａは、ボンネット２０の内側に突出し、当該ボンネット２０を閉鎖した際に、第１突出部６０ａに機体前後方向で対面するようにボンネット２０に設けられる。第２突出部６２ａに弾性シール部材７３が設けられる。【選択図】図９
2010163036.tif 000002
【特許請求の範囲】
【請求項１】
ラジエータを備えたトラクタにおいて、
前記ラジエータを支持するために当該ラジエータの左右に取り付けられた支持部材と、
前記支持部材から機体左右方向に突出する第１突出部と、
少なくとも前記ラジエータの左右の一部を覆うことが可能なボンネットと、
前記ボンネットの内側に突出し、当該ボンネットを閉鎖した際に前記第１突出部に機体前後方向で対面するように前記ボンネットに設けられた第２突出部と、
前記第１突出部又は前記第２突出部の何れか一方に設けられた弾性シール部材と、
を備えることを特徴とするトラクタ。
【請求項２】
ラジエータを備えたトラクタにおいて、
前記ラジエータを支持するために当該ラジエータの左右に取り付けられた支持部材と、
前記支持部材から機体左右方向に突出する第１突出部と、
少なくとも前記ラジエータの左右の一部を覆うことが可能なボンネットと、
前記ボンネットを閉鎖した際に前記第１突出部の機体正面側又は機体背面側に対面するように当該ボンネットの内側に突出し、当該ボンネット側に設けられた第２突出部と、
前記第１突出部の機体正面側又は機体背面側に設けられた第１弾性シール部材と、
前記第２突出部の機体正面側又は機体背面側であって前記第１突出部に対面する側の面に設けられた第２弾性シール部材と、
を備えることを特徴とするトラクタ。
【請求項３】
請求項１又は２に記載のトラクタであって、
前記ボンネットには、前照灯と、前記前照灯に接続された電線と、が配置され、
前記第２突出部は前記電線を支持していることを特徴とするトラクタ。
【請求項４】
請求項１から３までの何れか一項に記載のトラクタであって、
前記支持部材を固定するとともに、前記ボンネットの閉鎖時において当該ボンネットの下側の少なくとも一部を塞ぐ取付プレートを備え、
前記取付プレートの輪郭形状の一部は、前記ボンネットの下方端部の形状に沿うように形成され、
前記取付プレートにおいて、その輪郭形状が前記ボンネットの下方端部の形状に沿っている部分には、当該取付プレートの端部に沿って第１シール部材が配置され、
前記取付プレートにおいて、その輪郭形状が前記ボンネットの下方端部の形状から外側に突出している部分には、当該取付プレートの前記ボンネット側を向く面に、当該ボンネットの下方端部の形状に沿うように第２シール部材が配置されることを特徴とするトラクタ。
【発明の詳細な説明】
【技術分野】
【０００１】
本発明は、トラクタに関する。詳細には、トラクタが備えるボンネット内部の構成に関する。
【背景技術】
【０００２】
一般に、エンジンを備えた車両は、当該エンジン及び付属部品を覆うためのボンネットを備える。特に農業用トラクタ（以下、単にトラクタと呼ぶことがある）においては、エンジンの上部及び左右側面を大きく覆うタイプのボンネットが広く採用されている。このボンネットは、支軸を中心にして上方に回動させて、メンテナンス等の際にエンジンその他の構成を露出させることができるように構成されている。
【０００３】
一般的な農業用トラクタにおいて、ボンネットの内部であってエンジンの前方には、ラジエータが配置される。このラジエータは、車体前方に形成されたフロントグリルを介してボンネット内に導入された冷風（外気）をラジエータコアに当てることにより、当該ラジエータコア内を流通しているエンジン冷却液を冷却するためのものである。更に、ラジエータとエンジンの間には、ラジエータコアに強制的に通風するための冷却ファンが配置されている。この冷却ファンは、前方から後方に向かって送風するように構成されており、ラジエータコアに対して前方のフロントグリルからの冷風を効率よく導く。また、冷却ファンのファンシュラウドが、後方のエンジンからの熱気がラジエータコアに流れて行くことを防止している。
【０００４】
ところで、以上のような構成では冷却ファンによってボンネット内に風が巻き起こされるため、ラジエータの周囲に隙間があると、エンジンの熱気とラジエータを通過した熱風とがラジエータ前方に吹き戻してしまい、ラジエータの冷却効率が低下してしまう。従って、ラジエータとボンネットとの間の空間を完全に密閉することが好ましいが、ボンネットを開閉可能とする関係上、ラジエータとボンネットとの間を（例えば溶接や溶着によって）固定的に接続して密閉する構成は採ることができない。
【０００５】
この点、特許文献１は、冷却ファンの周囲を覆うファンシュラウドの縁部にシール部材を、ボンネットの内面に弾性当接材を設け、ボンネット閉鎖時にはシール部材と弾性当接部材とが当接するように構成することで、ファンシュラウド周囲を密閉してラジエータの前方に熱気が吹き戻さないように構成したトラクタを開示する。
【先行技術文献】
【特許文献】
【０００６】
【特許文献１】特許第２７５６３４４号公報
【発明の概要】
【発明が解決しようとする課題】
【０００７】
しかしながら、前述のように農業用トラクタのボンネットは上部及び左右側面を覆うタイプであるので、ボンネットを開閉のために回動させると、ファンシュラウドの車体側方側に配置されたシール部材がボンエット側の弾性当接部材と擦れ、当該シール部材及び弾性当接部材の破損、剥がれの原因となってしまっていた。
【０００８】
本願発明は以上の事情に鑑みてされたものであり、その主要な目的は、ラジエータ周囲の熱風遮断性を実現するためのシール部材の耐久性を向上させることにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成のラジエータを備えたトラクタが提供される。即ち、このトラクタは、支持部材と、第１突出部と、ボンネットと、第２突出部と、弾性シール部材と、を備える。前記支持部材は、前記ラジエータを支持するために当該ラジエータの左右に取り付けられる。前記第１突出部は、前記支持部材から機体左右方向に突出する。前記ボンネットは、少なくとも前記ラジエータの左右の一部を覆うことが可能である。前記第２突出部は、前記ボンネットの内側に突出し、当該ボンネットを閉鎖した際に前記第１突出部に機体前後方向で対面するように前記ボンネットに設けられる。前記弾性シール部材は、前記第１突出部又は前記第２突出部の何れか一方に設けられる。
【００１１】
これにより、弾性シール部材がボンネット開閉時に擦れて破損や剥がれが発生することを防止し、弾性シール部材によるボンネットとラジエータとの間の熱風遮断性を長期にわたって維持することができる。この結果、エンジンの熱風がラジエータの前方に吹き戻すことを防止し、ラジエータの冷却機能を安定して発揮させることができる。
【００１２】
本発明の別の観点によれば、以下の構成のラジエータを備えたトラクタが提供される。即ち、このトラクタは、支持部材と、第１突出部と、ボンネットと、第２突出部と、第１弾性シール部材と、第２弾性シール部材と、を備える。前記支持部材は、前記ラジエータを支持するために当該ラジエータの左右に取り付けられる。前記第１突出部は、前記支持部材から機体左右方向に突出する。前記ボンネットは、少なくとも前記ラジエータの左右の一部を覆うことが可能である。前記第２突出部は、前記ボンネットを閉鎖した際に前記第１突出部の機体正面側又は機体背面側に対面するように当該ボンネットの内側に突出し、当該ボンネット側に設けられる。前記第１弾性シール部材は、前記第１突出部の機体正面側又は機体背面側に設けられる。前記第２シール部材は、前記第２突出部の機体正面側又は機体背面側であって前記第１突出部に対面する側の面に設けられる。
【００１３】
これにより、弾性シール部材がボンネット開閉時に擦れて破損や剥がれが発生することを防止し、弾性シール部材によるボンネットとラジエータとの間の熱風遮断性を長期にわたって維持することができる。この結果、エンジンの熱風がラジエータの前方に吹き戻すことを防止し、ラジエータの冷却機能を安定して発揮することができる。また、ボンネット側とラジエータ側がそれぞれ弾性当接部材を備えるので、弾性当接部材を片方のみに備える構成と比べて、更なる熱風遮断性を確保することができる。
【００１４】
前記のトラクタにおいては、前記ボンネットには、前照灯と、前記前照灯に接続された電線と、が配置され、前記第２突出部は前記電線を支持していることが好ましい。
【００１５】
これにより、前照灯のワイヤハーネスを支持するための特別な支持部材が不要となるため、部品点数を削減してコストを抑えることができる。
【００１６】
また、前記のトラクタにおいては、以下のように構成されることが好ましい。即ち、このトラクタは、前記支持部材を固定するとともに、前記ボンネットの閉鎖時において当該ボンネットの下側の少なくとも一部を塞ぐ取付プレートを備える。前記取付プレートの輪郭形状の一部は、前記ボンネットの下方端部の形状に沿うように形成される。前記取付プレートにおいて、その輪郭形状が前記ボンネットの下方端部の形状に沿っている部分には、当該取付プレートの端部に沿って第１シール部材が配置される。前記取付プレートにおいて、その輪郭形状が前記ボンネットの下方端部の形状から外側に突出している部分には、当該取付プレートの前記ボンネット側を向く面に、当該ボンネットの下方端部の形状に沿うように第２シール部材が配置される。
【００１７】
これにより、ボンネットの下部を取付プレートによって隙間無く覆うことができるので、ボンネット内に異物が侵入することを防止することができる。
【図面の簡単な説明】
【００１８】
【図１】本発明の第１実施形態に係るトラクタの全体的な構成を示した左側面図。
【図２】ボンネットを取り外した様子を示した外観斜視図。
【図３】ボンネットの閉鎖時の様子を示した外観斜視図。
【図４】取付プレートの形状を示した平面図。
【図５】ボンネットの平面断面図。
【図６】ボンネットの側面断面図。
【図７】ボンネット内部の様子を示す平面一部断面図。
【図８】図７の一部拡大図。
【図９】ボンネット開閉時の様子を示す模式的な側面図。
【図１０】本発明の第２実施形態に係るトラクタのボンネット内の様子を拡大して示す平面一部断面図。
【発明を実施するための形態】
【００１９】
次に、本発明の第１実施形態について図面を参照して説明する。図１は、本発明の第１実施形態に係るトラクタ（農業用トラクタ）１０の左側面図である。
【００２０】
図１に示す農作業用の作業車両（作業機）としてのトラクタ１０は、プラウ、ハロー、ローダ等の各種装置を必要に応じて装着し、様々な種類の作業を行うことが可能に構成されている。このトラクタ１０の前後には前車輪１４及び後車輪１５が配置されている。
【００２１】
トラクタ１０の前部には、ＦＲＰ（繊維強化プラスチック）によって形成され、ヘッドライト１７（前照灯）及びサイドライト１８を備えたボンネット２０が配置されている。このボンネット２０は、車体に対して支軸３４を介して回転可能に取り付けられており、開閉可能に構成されている。従って、ボンネット２０を図中の鎖線で示すように上方に向かって回動させることで、内部を露出させることができる。
【００２２】
このボンネット２０内にはエンジン１９が収容されている。このエンジン１９は、トラクタ１０が備える機体フレーム１１に、直接、又は防振部材等を介して支持されている。ボンネット２０の後方にはオペレータが搭乗するためのキャビン１６が配置されており、このキャビン１６の内部には各種の操作を行うための図略の操作部及び座席部が備えられている。トラクタ１０のオペレータは、前記操作部を介して、トラクタ１０の走行操作等を行うことができる。
【００２３】
エンジン１９は、前後方向に延びるクランク軸を有しており、このクランク軸の回転動力を各部に伝達可能に構成されている。このクランク軸はエンジン１９のシリンダブロックから前方に突出し、その端部には、冷却ファン２８を回転駆動するための図略のプーリ及びベルト等が配置されている。また、クランク軸の後端にはフライホイール（図１において図略）が固定されており、このフライホイールの回転がクラッチ及びシャフト等を介して図略のミッションケースに内蔵されたギア等の動力伝達機構に伝達されて適宜変速された後、前車輪１４及び後車輪１５等に伝達される。
【００２４】
次に、図２及び図３を参照して、ボンネット２０及びボンネット２０の内部の構成について説明する。図２はボンネット内部の様子を示した外観斜視図、図３はボンネット２０を閉鎖した状態を示す外観斜視図である。なお、図２においては、ボンネット内部の様子をより良く図示するため、ボンネットを取り外した状態が描かれている。
【００２５】
図２に示すように、ボンネット２０の内部には、当該ボンネット２０を回転可能に支持する支軸３４が配置されている。また、ボンネット２０内のエンジン１９の前面側には、ラジエータ２２と、オイルクーラ２５と、サブタンク２６と、コンデンサ２３と、バッテリ２７と、エアクリーナ２９と、が配置されている。これらの装置は、ほぼ水平な向きで前記機体フレーム１１に固定された板状の取付プレート２１の上面側に配置されている。なお、各装置の詳細な構成については後述する。
【００２６】
図３に示すように、ボンネット２０の正面側にはフロントグリル４５が形成されている。これによってボンネット２０内部に外気を導入して、前記コンデンサ２３、オイルクーラ２５及びラジエータ２２などを冷却するとともに、エアクリーナ２９を介してエンジン１９に新鮮な外気を供給することができる。また、ボンネット２０には排気口４６が形成されており、当該ボンネット２０内の熱気を外部に排出することができる。
【００２７】
ラジエータ２２は、エンジン１９のウォータジャケット内の冷却水を循環し、冷却するための循環経路を有している。ラジエータ２２の循環経路中には、冷却コア、アッパタンク及びロアタンク等が配置されている。前記冷却コアは、チューブ及びフィン等から構成されており、アッパタンクとロアタンクとによって上下方向で挟み込まれる形となっている。アッパタンク及びロアタンクは、冷却コアのチューブによって接続されるとともに、それぞれが配管等を介してエンジン１９のウォータジャケットに接続されている。また、ラジエータ２２の近傍には、当該ラジエータ２２のオーバーフロー分の冷却水を貯留するためのサブタンク２６が配置されている。エンジン１９側から送られてきた冷却水は、この循環経路を通過することで冷却され、再びエンジン１９側に戻される。
【００２８】
エアクリーナ２９は、空気中の異物を除去するためのエアクリーナエレメントを内部に収容した構成となっている。このエアクリーナ２９はホースによってエンジン１９に接続されており、エンジン１９の吸気構造の一部を構成している。
【００２９】
コンデンサ（復水器）２３は、キャビン１６内を冷房することが可能な空調装置の一部を構成している。この空調装置は、前記コンデンサ２３と、コンプレッサと、膨張弁と、エバポレータと、を主要な構成として備えている。
【００３０】
コンデンサ２３は、高圧の液状冷媒を通過させるチューブと、該チューブの周囲にコルゲート式又はプレート式等で構成されるフィンと、を主要な構成として備えた熱交換器である。前記チューブは、多数平行に配置した複数のフィンの間を左右方向又は上下方向に蛇行するように配置されている。
【００３１】
前記コンプレッサは図略の配管を介してコンデンサ２３に接続される。コンデンサ２３は前記膨張弁に接続されるとともに、その接続経路の中途にはレシーバドライヤが配置されている。また、膨張弁とエバポレータはキャビン１６内部の天井部分に取り付けられている。
【００３２】
この構成で、前記コンプレッサがエンジン１９の駆動力によって駆動されることで、冷媒となるガスが圧縮されて、高温高圧の半液状の状態でコンデンサ２３に送られる。圧縮されたガスが送られたコンデンサ２３では冷媒が冷却され、液化が促進されてレシーバドライヤへ送られる。レシーバドライヤは、液化できなかった冷媒を分離するとともに、乾燥剤やストレーナ等によって水分や不純物を取り除く。この結果、液冷媒のみが配管を介して膨張弁へ送られる。膨張弁では冷媒が噴射されることにより減圧され、エバポレータでは、霧状の冷媒（液体）が気化する際に周囲の熱を奪う。この冷やされたエバポレータに室内ファンで送風を行うと、空気が冷却され、キャビン１６内を冷房することができる。前記気化された冷媒は、エバポレータを出てコンプレッサに戻され、再び圧縮されて液化し、前記冷房サイクルが繰り返される。
【００３３】
オイルクーラ２５は、前記ミッションケース内の潤滑油（各種油圧機器の作動油としても用いられる）を冷却するためのものである。このオイルクーラ２５の内部には配管が蛇行状に配置されており、この配管の内部をオイルが通過可能に構成されている。前記配管の内外には多数のフィンが配置されており、その放熱効果によってオイルを冷却することができる。
【００３４】
次に、ラジエータ２２の取付構造について説明する。ラジエータ２２の左右両端部には、当該ラジエータ２２を支持するための支持ブラケット（支持部材）６０が取り付けられている。
【００３５】
具体的には、この支持ブラケット６０は金属製とされており、縦方向に細長い形状に構成されている。また、支持ブラケット６０は、その幅方向一側の端部を直角に折り曲げ、他側の端部を前記一側の端部とは逆方向に直角に折り曲げることで、取付プレート２１と平行な平面で切断した断面形状がクランク状となるように形成されている。そして、図２に示すように、この支持ブラケット６０は前記折り曲げた両端部が機体左右方向に向き、かつ、当該支持ブラケット６０の長手方向が取付プレート２１に対してほぼ直交するようにして、当該取付プレート２１上に固定されている。
【００３６】
以上の構成で、支持ブラケット６０から機体左右方向外側に向かって突出する第１突出部６０ａが形成されている。なお、図２においては機体左側に突出する第１突出部６０ａのみが図示してあるが、ラジエータ２２の機体右側に配置された支持ブラケット６０もクランク状に形成されて機体右側に突出する第１突出部を有している。
【００３７】
支持ブラケット６０の上部には、図２に示す熱気遮蔽板６１が固定されている。この熱気遮蔽板６１は板状の部材であり、左右の支持ブラケット６０の上部を接続するようにして、それぞれの支持ブラケット６０の第１突出部６０ａにネジ止めされている。そして、この熱気遮蔽板６１に対して、ラジエータ２２のアッパタンクが、例えばゴム等の防振部材を介してネジ止めされている。
【００３８】
また、支持ブラケット６０の下部には、図略のラジエータステーが固定されている。このラジエータステーは、取付プレート２１と略平行になるように配置された板状の部材であり、左右の支持ブラケット６０の下部を接続するようにして、それぞれの支持ブラケット６０に固定されている。このラジエータステーには適宜形状の孔が形成されており、ラジエータ２２のロアタンクの一部を嵌め込んで固定することができるように構成されている。なお、ラジエータ２２のロアタンクと支持ブラケット６０とは直接固定するのではなく、例えば防振部材を介して固定しても良い。
【００３９】
以上のように、ラジエータ２２のアッパタンク及びロアタンクがそれぞれ支持ブラケット６０に対して固定されている。この構成で、ラジエータ２２を取付プレート２１に対してほぼ直立するように（即ち、車体進行方向に対してラジエータ２２が対面するように）固定することができる。
【００４０】
支持ブラケット６０を固定するための取付プレート２１の形状が、図４の平面図に示されている。図中の２点鎖線は、ラジエータ２２、オイルクーラ２５、コンデンサ２３及びバッテリ２７の取付位置を示す。前記支持ブラケット６０は、この取付プレート２１上に例えば溶接などの方法により固定される。
【００４１】
この取付プレート２１は、ラジエータ２２等を固定する役割のほか、ボンネット２０を閉鎖した際に当該ボンネット２０の下側を塞いでボンネット２０内に異物が侵入しないようにする役割を兼ねている。このため、取付プレート２１の前部及び後部を除き、その輪郭形状はボンネット２０の下側端部の形状と略一致するように形成されている。また、取付プレート２１とボンネット２０との間にはシール部材が配置されている。
【００４２】
具体的には以下のとおりである。即ち、ボンネット２０の閉鎖時においては、図３に示すように、当該ボンネット２０の下側端部から取付プレート２１が左右に突出したり、ボンネット２０の下側端部と取付プレート２１との間に隙間ができたりすることがないように構成されている。そして、取付プレート２１の車体左右側の端面には、細長く形成された第１シール部材７１が取り付けられている。
【００４３】
前記第１シール部材７１は、ある程度の弾性を備えた素材によって構成されており、具体的にはウェザーストリップとして構成されている。このウェザーストリップは、断面Ｏ字状の中空シール部と、断面Ｕ字状の取付基部と、が一体的に形成された公知の形状となっている。この第１シール部材７１（ウェザーストリップ）は、前記取付基部のＵ字の内側に取付プレート２１の端部を挟み込むことにより、当該取付プレート２１の端部に取り付けることができる。このように、第１シール部材７１によって取付プレート２１の端部を挟み込むことで、図２に示すように、第１シール部材７１を当該取付プレート２１の左右側端部の形状に沿わせるように配置する。以上の構成で、図３のようにボンネット２０を閉鎖した時に、ボンネット２０の下側端部が第１シール部材７１に当接する。これにより、ボンネット２０の下側端部におけるシール性を良好に発揮することができる。
【００４４】
なお、この取付プレート２１の車体前方側には、前方に飛び出すように突出部２１ａが形成されている。そして、図３に示すように、ボンネット２０の閉鎖時には、この突出部２１ａがボンネット２０の下側端部から車体前方に突出する。このような構成においては、突出部２１ａの部分に沿わせるようにして第１シール部材７１を配置しても、車体前方側のシール性を発揮することができない。そこで、本実施形態では、第１シール部材７１を左右に分割して車体前方側を除いた部分に配置し、車体前方側の部分においては第１シール部材７１の代わりに第２シール部材７２を配置している。
【００４５】
この第２シール部材７２は、ある程度の弾性を備えた素材（例えばウレタン等）によって構成され、断面形状が略半円形状となるように形成されている。そして、この第２シール部材７２を、ボンネット２０の下側端部の形状と対応するようにして（左右の第１シール部材７１を繋ぐようにして）、接着剤で取付プレート２１の上面に貼り付ける（図２を参照）。
【００４６】
このように、取付プレート２１の輪郭形状とボンネット２０の下側端部の形状とが一致している部分には、取付プレート２１の端部を挟み込むようにして第１シール部材７１を配置し、ボンネット２０の下側端部から取付プレート２１が外側に向かってハミ出す部分（突出部２１ａ）においては、第２シール部材７２を取付プレート２１の上面に貼り付けて配置する。これにより、ボンネット２０の閉鎖時に、当該ボンネット２０と取付プレート２１との間で良好なシール性を発揮することができるので、ボンネット２０内部に雨水や埃などが侵入することを防止することができる。従って、ボンネット２０内部の、ラジエータ２２、オイルクーラ２５、コンデンサ２３及びエアクリーナ２９等が汚れることを防止することができる。
【００４７】
次に、エンジン１９側の熱気がラジエータ２２等の上側を通って前方に流入しないようにするための構成について説明する。
【００４８】
図２に示すように、ラジエータ２２の後方には熱気遮蔽板６１が配置されている。この熱気遮蔽板６１は、左右幅がラジエータ２２の左右幅とほぼ一致するとともに、その上端部はラジエータ２２の上側端部から上方に突出するよう構成されている。熱気遮蔽板６１の上端部の輪郭は、ボンネット２０の内側形状に対応するように形成されるとともに、当該上端部の縁に沿うようにしてシール部材７０が配置されている。このシール部材７０は、例えばウェザーストリップやウレタン等により構成されている。
【００４９】
以上の構成で、ボンネット２０の閉鎖時においては、シール部材７０がボンネット２０の内面に当接する。これにより、エンジン１９側の熱気が、ラジエータ２２の上側を通って当該ラジエータ２２の前方に回り込むことを防ぐことができる。なお、前記熱気遮蔽板６１には、ワイヤハーネスや各種パイプ等を挿通させるための挿通孔が形成されている。これにより、熱気を遮断しつつ、当該熱気遮蔽板６１の前後をハーネスやパイプで接続することができる。なお、上記熱気遮蔽板６１は、ボンネット２０の閉鎖時において当該ボンネット２０の左右の位置がズレないようにするための位置決め部材としての役割も兼ねている。なお、熱気遮蔽板６１の上端部にシール部材７０が配置される構成に代えて、あるいはこれに加えて、ボンネット２０の内面であって熱気遮蔽板６１の上端部に対応する位置に、例えばウレタン等のシール部材を設けても良い。
【００５０】
次に、図５、図６及び図７を参照して、エンジン１９側の熱気がラジエータ２２の左右側方を通って当該ラジエータ２２の前方に回り込むことを防ぐための構成について説明する。図５はボンネット２０の平面断面図、図６はボンネット２０の側面断面図、図７はボンネット２０を閉鎖した状態を示す平面図である。なお図７において、ボンネット２０内部の様子を示すため、ボンネット２０は、その車体上側の一部を切断した状態の断面図として示してある。
【００５１】
まず、ボンネット２０側の構成について説明する。図５及び図６に示すように、ボンネット２０の内側には、ヘッドライトステー１７ｂと、サイドライトステー１８ｂとが、ヘッドライト１７とサイドライト１８のそれぞれに対応する位置に固定されている。そして、ヘッドライト１７の光源１７ａがヘッドライトステー１７ｂに、サイドライト１８の光源１８ａがサイドライトステー１８ｂに、それぞれ取り付けられている。
【００５２】
また、光源１７ａ及び光源１８ａに電力を供給するための電線（ワイヤハーネス）７５が、ボンネット２０の内側に沿うように配設されている。この電線７５は、ボンネットを開閉する際に車体側の各構成に接触しないよう、クランプ７４によってボンネット２０の内壁面に沿うように固定されている。なお、このクランプ７４は、前記ヘッドライトステー１７ｂ及びサイドライトステー１８ｂの適宜の位置に固定されている。
【００５３】
ボンネット２０の内壁面の左右側方側には、金属製のシール部材ブラケット６２が固定されている。このシール部材ブラケット６２は、例えば、ボンネット２０内面の所定箇所のＦＲＰの樹脂を溶かし、シール部材ブラケット６２を押し当てて、その上に樹脂をかぶせて硬化させることで当該ボンネット２０の内部に固定することができる。
【００５４】
シール部材ブラケット６２は、断面が略Ｌ字状の細長い部材として構成されており、ボンネット２０を閉鎖した状態でほぼ垂直な向きとなるように配置されている。そして、このシール部材ブラケット６２の一方の端部がボンネット２０の内側に突出して第２突出部６２ａを形成している。この第２突出部６２ａの車体後方を向く側の面には、ある程度の弾性を備えた素材（例えばウレタン等）によって形成された弾性シール部材７３が接着剤やテープにより貼り付けられている。
【００５５】
図７に示すように、ボンネット２０の閉鎖時において、第１突出部６０ａの車体前方を向く面と、第２突出部６２ａの車体後方を向く面と、が向き合うように、前記シール部材ブラケット６２がボンネット２０内に固定されている（一側の弾性シール部材７３の近傍を拡大して示した図８を併せて参照）。そして、図７に示すように、ボンネット２０の閉鎖時において弾性シール部材７３は、第１突出部６０ａと第２突出部６２ａとに挟まれることによって車体前後方向に圧縮する力が掛かるように配置されている。
【００５６】
第１突出部６０ａと第２突出部６２ａが以上のように構成されたことの効果について、図９を参照して説明する。図９（ａ）はボンネット２０の開放時の様子を模式的に示した側面断面図、図９（ｂ）はボンネット２０の閉鎖時の様子を示した側面断面図である。
【００５７】
図２等に示すようにボンネット２０は支軸３４を中心にして回動するので、ボンネット２０の閉鎖時には、弾性シール部材７３は支軸３４を中心とした円の接線方向の力を第２突出部６２ａから受ける。これにより、図９（ｂ）の状態で、弾性シール部材７３には第１突出部６０ａと第２突出部６２ａとによって圧縮方向の力が加えられ、良好なシール性を発揮することができる。また、支軸３４は、第１突出部６０ａよりも後方で、かつ、第１突出部６０ａの上端の高さよりも高い位置に配置されている。このように構成されていることで、ボンネット２０開閉時に、当該ボンネット２０に伴って回動する弾性シール部材７３が第１突出部６０ａと接触することがない。従って、ボンネット２０開閉の際にシール部材が擦れて剥がれたり破損したりすることがなく、長期にわたって良好なシール性を維持することができる。
【００５８】
なお、図５から図８に示すように、シール部材ブラケット６２には、電線７５がクランプ７６を介して取り付けられている。即ち、シール部材ブラケット６２が電線７５の支持部材を兼ねているので、部品点数を削減してコストを低減することができる。
【００５９】
以上で説明したように、第１実施形態のトラクタ１０は、支持ブラケット６０と、第１突出部６０ａと、ボンネット２０と、第２突出部６２ａと、弾性シール部材７３と、を備えている。支持ブラケット６０は、ラジエータ２２を支持するために当該ラジエータ２２の左右に取り付けられる。第１突出部６０ａは、支持ブラケット６０から機体左右方向に突出する。ボンネット２０は、閉鎖した状態で、ラジエータ２２の上部及び左右側面を全体的に覆うように構成されている。前記第２突出部６２ａは、ボンネット２０の内側に突出し、当該ボンネット２０を閉鎖した際に、第１突出部６０ａに機体前後方向で対面するようにボンネット２０に設けられる。第２突出部６２ａに弾性シール部材７３が設けられる。
【００６０】
これにより、弾性シール部材７３がボンネット２０の開閉時に擦れて破損や剥がれが発生することを防止し、弾性シール部材７３によるボンネット２０とラジエータ２２との間の熱風遮断性を長期にわたって維持することができる。この結果、エンジン１９の熱風がラジエータ２２の前方に吹き戻すことを防止し、ラジエータ２２の冷却機能を安定して発揮させることができる。
【００６１】
また、本実施形態のトラクタ１０において、ボンネット２０には、ヘッドライト１７及びサイドライト１８と、前記ヘッドライト１７及びサイドライト１８の光源１７ａ，１８ａに接続された電線７５と、が配置される。第２突出部６２ａは前記電線７５を支持している。
【００６２】
これにより、ヘッドライト１７及びサイドライト１８の電線７５を支持するための特別な支持部材が不要となるため、部品点数を削減してコストを抑えることができる。
【００６３】
また、本実施形態のトラクタ１０においては、以下のように構成されている。即ち、このトラクタ１０は、支持ブラケット６０を固定するとともに、ボンネット２０の閉鎖時において当該ボンネット２０の下側の少なくとも一部を塞ぐ取付プレート２１を備える。取付プレート２１の輪郭形状の一部は、ボンネット２０の下方端部の形状に沿うように形成される。取付プレート２１において、その輪郭形状がボンネット２０の下方端部の形状に沿っている部分には、当該取付プレート２１の端部に沿って第１シール部材７１が配置される。取付プレート２１において、その輪郭形状がボンネット２０の下方端部の形状から外側に突出している部分には、当該取付プレート２１の前記ボンネット２０側を向く面に、当該ボンネット２０の下方端部の形状に沿うように第２シール部材７２が配置される。
【００６４】
これにより、ボンネット２０の下部を取付プレート２１によって隙間無く覆うことができるので、ボンネット内に異物が侵入することを防止することができる。
【００６５】
次に、本発明の第２実施形態のトラクタについて、図１０を参照して説明する。図１０は、この実施形態のボンネット２０の閉鎖時における第１突出部６０ａと第２突出部６２ａの近傍を拡大して示す平面断面図である。なお、本実施形態において前記第１実施形態と同一又は類似の構成については、図面に同一の符号を付して説明を省略する。
【００６６】
図１０に示すように、第１突出部６０ａの機体前方側を向く面には、ある程度の弾性を備えた素材（例えばウレタン等）によって形成された弾性シール部材（第１弾性シール部材）７７が、例えば接着剤やシールによって貼り付けられている。また、第２突出部６２ａの機体後方側を向く面には、弾性シール部材としてのウェザーストリップ７８（第２弾性シール部材）が取り付けられている。そして、図１０に示すように、ボンネットの閉鎖時において、前記弾性シール部材７７とウェザーストリップ７８とが当接し、第１突出部６０ａと第２突出部６２ａとによって圧接力が加えられるように構成されている。
【００６７】
即ち、第１実施形態においては第２突出部６２ａにのみ弾性シール部材を備える構成であったが、本実施形態のように第１突出部６０ａと第２突出部６２ａの両方に弾性シール部材を設けることにより、更なるシール性を確保することができる。また、弾性シール部材が板金によって構成された他方の突出部に直接接触することがなくなるので、弾性シール部材の剥がれ、破損などを防止し、当該弾性シール部材の寿命を更に延ばすことができる。
【００６８】
以上に説明したように、この第２実施形態のトラクタは、支持ブラケット６０、第１突出部６０ａと、ボンネット２０と、第２突出部６２ａと、第１弾性シール部材７７と、ウェザーストリップ７８と、を備えている。支持ブラケット６０は、ラジエータ２２を支持するために当該ラジエータ２２の左右に取り付けられる。第１突出部６０ａは、支持ブラケット６０から機体左右方向に突出する。ボンネット２０は、閉鎖した状態でラジエータ２２の上部及び左右側面を全体的に覆うように構成されている。第２突出部６２ａは、ボンネット２０を閉鎖した際に第１突出部６０ａの機体正面側に対面するように当該ボンネット２０の内側に突出し、当該ボンネット２０側に設けられる。第１弾性シール部材７７は、第１突出部６０ａの機体正面側に設けられる。ウェザーストリップ７８は、前記第２突出部６２ａの機体背面側に配置されて第１突出部６０ａに対面する。
【００６９】
これにより、弾性シール部材（第１弾性シール部材７７及びウェザーストリップ７８）がボンネット２０の開閉時に擦れて破損や剥がれが発生することを防止し、弾性シール部材によるボンネット２０とラジエータ２２との間の熱風遮断性を長期にわたって維持することができる。この結果、エンジン１９の熱風がラジエータ２２の前方に吹き戻すことを防止し、ラジエータ２２の冷却機能を安定して発揮することができる。また、ボンネット２０側とラジエータ２２側がそれぞれ弾性シール部材を備えるので、弾性シール部材を片方のみに備える構成と比べて、更なる熱風遮断性を確保することができる。
【００７０】
以上に本発明の好適な実施の形態について説明したが、上記の構成は例えば以下のように変更することができる。
【００７１】
本発明のトラクタは前輪と後輪を備えた四輪タイプのトラクタに限らず、例えばクローラタイプのトラクタとして構成しても良い。
【００７２】
上記実施形態では、支持ブラケット６０は、熱気遮蔽板６１及びラジエータステーを介してラジエータ２２を間接的に支持しているが、直接的に支持するように構成しても良い。例えば、支持ブラケット６０の曲げられた端部のうち、機体内側に突出する側の端部（第１突出部６０ａの反対側の端部）に、ネジ止めによってラジエータ２２を固定する構成とすることができる。
【００７３】
第１実施形態において、弾性シール部材の例としてウェザーストリップやウレタンを挙げたが、ほかの弾性シール部材を用いても良い。
【００７４】
また、第１実施形態において、弾性シールをボンネット側（可動側）に設けたが、ラジエータ側（固定側）に弾性シール部材を配置する構成でも良い。固定側であるラジエータ側に弾性シール部材を設けた場合は、当該弾性シール部材の剥がれ等が更に発生しにくくなるというメリットがある。一方、第１実施形態のようにボンネット側に弾性シール部材を配置した場合は、組立性が良好になるというメリットがある。
【００７５】
第２実施形態において、ボンネット側にウェザーストリップを配置したが、ラジエータ側に配置しても同様の効果を発揮することができる。また、例えば、ボンネット側とラジエータ側の両方をウェザーストリップとしても良いし、両方をウレタンとしても良い。
【符号の説明】
【００７６】
１０  トラクタ
１７  ヘッドライト（前照灯）
１９  エンジン
２０  ボンネット
２２  ラジエータ
６０  支持ブラケット（支持部材）
６０ａ  第１突出部
６２  シール部材ブラケット
６２ａ  第２突出部
７３  弾性シール部材
７５  電線
７７  第１弾性シール部材
７８  ウェザーストリップ（第２弾性シール部材）
【図１】
2010163036.tif 000003
【図２】
2010163036.tif 000004
【図３】
2010163036.tif 000005
【図４】
2010163036.tif 000006
【図５】
2010163036.tif 000007
【図６】
2010163036.tif 000008
【図７】
2010163036.tif 000009
【図８】
2010163036.tif 000010
【図９】
2010163036.tif 000011
【図１０】
2010163036.tif 000012